(57)【特許請求の範囲】
【請求項１】
発光部と、発光部の前面側に配設され発光部の光軸に対して傾斜した表示面を有するハウジングと、透明性部材又は半透明性部材のいずれかの部材で大略柱状に形成され前記発光部の前面側に大略柱状の中心軸を前記光軸に略合わせて配設され、前記発光部に対向する一端面が前記光軸に対して略垂直を成す平面状の発光部対向面とされると共に、他端面が前記表示面から露出して外部に臨む投光面とされてなる導光部と、を有するランプ付表示装置において、前記投光面を、前記発光部対向面に対して鋭角を成し、前記中心軸と略平行に前記発光部対向面から導光部に入射する光を前記表示面に対して略垂直方向に屈折透過させるように形成し、前記投光面を、前記表示面と反対方向に傾斜させて形成したことを特徴とするランプ付表示装置。
【発明の詳細な説明】
【０００１】
【発明の属する技術分野】
本発明は、ランプが点灯、消灯又は点滅等して使用者に対し所定の表示を行うランプ付表示装置に関する。
【０００２】
【従来の技術】
従来の技術のランプ付表示装置を図３、図４を用いて説明する。図３はランプ付表示装置の要部を示す側面断面図である。図４は他のランプ付表示装置の要部を示す側面断面図である。
【０００３】
図３において、ランプ付表示装置は、発光部１と、発光部１の光軸に対して傾斜した表示面２ａを有するハウジング２と、導光部３を有して構成されている。
【０００４】
導光部３は、発光部１の発する光をハウジング２の表示面２ａに導くものである。導光部３は透明性部材で形成されており、発光部３の光軸に対して略垂直に交わる平面であって発光部１に臨む発光部対向面３ａ、発光部３の光軸の方向と略同一方向の長手方向軸を有する大略柱状体である導光部本体３ｂ、前記表示面２ａにおいて露出して外部に臨む投光面３ｃを備えている。
【０００５】
このものにあっては、発光部１の発する光が発光部対向面３ａから導光部３に入射して導光部本体３ｂを透過して、投光面３ｃから外部に光が出るようになされている。従って、ランプ付表示装置の使用者は、表示面２ａから露出する投光面３ｃを目視することにより発光部１の点灯状態を知ることが出来る。
【０００６】
また、他のランプ付表示装置にあっては、図４に示すように、導光部本体３ｄの長手方向軸が表示面２ａに対して略垂直となり、発光部１の光軸に対して所定の角度を成すように配設されて、投光面３ｅの傾斜が表示面２ａの傾斜と一致するようになされているものがある。このものにあっても、ランプ付表示装置の使用者は、表示面２ａから露出する投光面３ｃを目視することにより発光部１の点灯状態を知ることが出来る。
【０００７】
【発明が解決しようとする課題】
しかしながら、上述のような図３、図４に示す従来の技術のランプ付表示装置にあっては、次のような問題点があった。
【０００８】
まず、前者のランプ付表示装置にあっては、発光部対向面３ａから導光部本体３ｂに入射した光が導光部３の導光面３ｃから外部に出る際には、該光は図３に示すように投光面３ｃに対して略垂直な方向Ａに向かう。従って、表示面２ａに対して視線Ｃが垂直となるような位置に視点Ｂを位置させて目視すると、目に入光する光量は減少し、使用者は発光部１の光を暗く感じ、よって視認性が低いという問題点があった。
【０００９】
また、後者のランプ付表示装置にあっては、発光部３の発する光の内一部の光は、発光部対向面３ａから導光部本体３ｄに入射せず、よって投光面３ｅから外部に出ることもない。従って、表示面２ａに対して視線Ｃが垂直となるような位置に視点Ｂを位置させて目視すると、投光面３ｅから出る光と視線Ｃとの軸は一致するものの、投光面３ｅから出る光量は減少し、よって使用者は発光部１の光を暗く感じ、視認性が低いという問題点があった。
【００１０】
本発明は、上記問題点を改善するために成されたもので、その目的とするところは、視認性の高いランプ付表示装置を提供することにある。
【００１１】
【課題を解決するための手段】
本発明は上記の問題を解決するために、請求項１記載の発明にあっては、発光部と、発光部の前面側に配設され発光部の光軸に対して傾斜した表示面を有するハウジングと、透明性部材又は半透明性部材のいずれかの部材で大略柱状に形成され前記発光部の前面側に大略柱状の中心軸を前記光軸に略合わせて配設され、前記発光部に対向する一端面が前記光軸に対して略垂直を成す平面状の発光部対向面とされると共に、他端面が前記表示面から露出して外部に臨む投光面とされてなる導光部と、を有するランプ付表示装置において、前記投光面を、前記発光部対向面に対して鋭角を成し、前記中心軸と略平行に前記発光部対向面から導光部に入射する光を前記表示面に対して略垂直方向に屈折透過させるように形成したことを特徴とするものである。
【００１２】
更に、請求項１記載の発明にあっては、前記投光面を、前記表示面と反対方向に傾斜させて形成したことを特徴とするものである。
【００１３】
【発明の実施の形態】
本発明の実施の形態を図１、図２を用いて説明する。図１はランプ付表示装置の要部を示す側面断面図である。図２は導光部の側面図である。
【００１４】
図１に示すように、ランプ付表示装置は、発光部４，４，４と、ハウジング５と、導光部６と、を有して構成してある。
【００１５】
ハウジング５は、ランプ付表示装置の外殻を構成する大略直方体の箱体であって、上面を開放した下部ハウジング５ａと、下面を開放した上部ハウジング５ｂとより成る。そして、上部ハウジング５ｂの開放面と下部ハウジング５ａの開放面とが互いに臨むように組み合わせてひとつの箱体となるように構成してある。
【００１６】
上部ハウジング５ｂの図１中上面部分の一部は、下部ハウジング５ａの底面５ｈに対して傾斜した表示面５ｃと成してある。該表示面５ｃの傾斜角度は使用者がランプ付表示装置を斜め上方から目視した場合に見よい程度としてある。表示面５ｃには第一の段部５ｄ，５ｄと第二の段部５ｅ，５ｅが設けてあり、更に第一の貫通孔５ｆ，５ｆ，５ｆと、第二の貫通孔５ｇ，５ｇが設けてある。
【００１７】
発光部４，４，４は、プリント基板７上に設けられており、プリント基板７は下部ハウジング５ａの底面５ｈに大略平行に配設される。従って、発光部４，４，４の光軸は、表示面５ｃとは直交せずに、所定の角度でもって交わっている。
【００１８】
導光部６は透明性部材又は半透明性部材のいずれかの部材で形成してあり、発光部４の発する光を表示面５ｃに導くものである。導光部６は、図１、図２に示すように、発光部４の光軸の方向と略同一方向の中心軸である長手方向軸を有する大略柱状体である３つの導光部本体６ａ，６ａ，６ａと、各発光部４，４，４の光軸に対して略垂直に交わる平面であって発光部４，４，４に臨む導光部本体６ａ，６ａ，６ａの端面である発光部対向面６ｂ，６ｂ，６ｂと、表示面５ｃにおいて露出して外部に臨む導光部本体６ａ，６ａ，６ａの他端面である投光面６ｃ，６ｃ，６ｃとを有している。
【００１９】
各投光面６ｃは、発光部対向面６ｂを基準として、表示面５ｃと反対方向に傾斜させてあり、詳しくは、発光部対向面６ｂと表示面５ｃとの距離が近い側の投光面縁部６ｄが発光部対向面６ｂから遠ざかり、発光部対向面６ｂと表示面５ｃとの距離が遠い側の投光面縁部６ｅが発光部対向面６ｂに近づくように傾斜している。そして、各投光面６ｃは、前記長手方向軸と略平行に発光部対向面６ｂから導光部本体６ａに入射する光を、表示面５ｃに対して略垂直方向に屈折透過させるものである。
【００２０】
各導光部本体６ａ，６ａ，６ａは、上部ハウジング５ｂの表示面５ｃに設けた貫通孔５ｆ，５ｆ，５ｆに各々挿通可能に位置した状態で連設片６ｆにて互いに連設されて一体となされている。この連設片６ｆは大略板体であって第二の段部５ｅ，５ｅの段の高さと略同等の厚みを有している。そして、導光部６を表示面５ｃの第二の段部５ｅにより形成される凹所に配設すると、導光部本体６ａ，６ａ，６ａが第一の貫通孔５ｆ，５ｆ，５ｆに挿通されて発光部対向面６ｂ，６ｂ，６ｂが発光部４，４，４に臨むようになされ、また連設片６ｆが前記第二の段部５ｅにより形成される凹所に嵌合した状態となる。
【００２１】
また、連設片６ｆの表示面５ｃに臨む面であって導光部本体６ａ，６ａ，６ａの配設位置の間の位置には爪部６ｇ，６ｇが立設されている。該爪部６ｇ，６ｇは、導光部６を表示面５ｃに配設した状態にあっては、第二の貫通孔５ｇ，５ｇに挿通されるとともに上部ハウジング５ｂに係合する。従って、導光部６を表示面５ｃに配設した状態にあっては、該爪部６ｇ，６ｇが上部ハウジング５ｂに係合して導光部６を係合保持するので、導光部６は容易には脱落しないようになされている。
【００２２】
シール８は透明性部材または半透明性部材のいずれかの部材で形成された薄板体であって、表示面５ｃ上に配設されて導光部６の投光面６ｃ，６ｃ，６ｃを覆うものである。シール８は第一の段部５ｄ，５ｄの段の高さと略等しい厚みを有しており、第一の段部５ｄ，５ｄが形成する凹所と略同等の形状を有している。従って、シール８を第一の段部５ｄ，５ｄが形成する凹所に配設することにより、シール８は該凹所に嵌合して、投光面６ｃ，６ｃ，６ｃを保護する。
【００２３】
以上のようにして構成したランプ付表示装置においては、発光部４の発する光は、まず発光部対向面６ｂに対して略垂直に導光部本体６ａ，６ａ，６ａに入射する。該入射した光Ｄは導光部本体６ａ，６ａ，６ａを透過して投光面６ｃ，６ｃ，６ｃに至る。そして、投光面６ｃ，６ｃ，６ｃから出る光Ｅは、投光面６ｃ，６ｃ，６ｃの傾斜によって屈折し、表示面５ｃに対して略垂直な方向を向くものとなる。
【００２４】
従って使用者が、表示面５ｃに対して視線Ｃが略垂直となるような位置に視点Ｂを位置させて目視した場合、視線Ｃの軸と投光面５ｃから出る光Ｅの光軸とが略一致するので、使用者は発光部４の光の明るさと略同等の明るさを感ずることができ、よって視認性が高いものとなる。
【００２５】
なお、本実施の形態では、導光部本体６ａを３つとして説明しているが、３つに限られるものではなく、ランプ付表示装置の発光部４の数に応じて設ければよいのであって、例えば１つであってもよいし、また３つ以上であってもよい。
【００２６】
【発明の効果】
本発明のランプ付表示装置は上述のように構成してあるから、請求項１記載の発明にあっては、投光面が、導光部の中心軸と略平行に前記発光部対向面から導光部に入射する光を表示面に対して略垂直方向に屈折透過させるので、表示面に対して視線が垂直となるような位置に視点を位置させて目視した場合に、視線の軸と投光面から出る光の光軸とが略一致し、使用者は発光部の光の明るさと略同等の明るさを感ずることができ、よって視認性が高いランプ付表示装置を提供できるという効果を奏する。
【００２７】
更に、請求項１記載の発明にあっては、前記投光面を、前記表示面と反対方向に傾斜させて形成したので、該投光面が、導光部の中心軸と略平行に前記発光部対向面から導光部に入射する光を表示面に対して略垂直方向に屈折透過させ、表示面に対して視線が垂直となるような位置に視点を位置させて目視した場合に、視線の軸と投光面から出る光の光軸とが略一致し、使用者は発光部の光の明るさと略同等の明るさを感ずることができ、よって視認性が高いランプ付表示装置を提供できるという効果を奏する。
【図面の簡単な説明】
【図１】本発明のランプ付表示装置の要部を示す側面断面図である。
【図２】導光部の側面図である。
【図３】従来の技術のランプ付表示装置の要部を示す側面断面図である。
【図４】従来の技術の他のランプ付表示装置の要部を示す側面断面図である。
【符号の説明】
４    発光部
５    ハウジング
６    導光部
６ａ  導光部本体
６ｂ  発光部対向面
６ｃ  投光面
【図１】
0003882271.tif 000002
【図２】
0003882271.tif 000003
【図３】
0003882271.tif 000004
【図４】
0003882271.tif 000005